【事件の表示】
　平成１１年特許願第５５３９４５号「ゴルフ用手袋」拒絶査定不服審判事件〔平成１１年１１月　４日国際公開、ＷＯ９９／５５４３３〕について、次のとおり審決する。
【結　論】
　本件審判の請求は、成り立たない。
【理　由】
１　手続の経緯 ・本願発明
　本願は、１９９９年４月２３日（優先権主張１９９８年４月２７日、日本国）を国際出願日とする出願であって、平成１７年１０月１７日付けで拒絶の査定がなされたため、これを不服として同年１１月２５日付けで本件審判請求がなされるとともに、平成１７年１２月２２日受付けの明細書についての手続補正がなされたものである。
　上記手続補正は、補正前の特許請求の範囲の請求項１を削除し、補正前の請求項２乃至１０を順次繰り上げ請求項１乃至９としたものであり、平成１４年改正前特許法第１７条の２第４項第１号の請求項の削除を目的とするものと認められるから、同法第１７条の２第４項の規定に適合する。
　したがって、本願の請求項１に係る発明（以下「本願発明」という。） は、平成１７年１２月２２日受付けの手続補正書で補正された明細書の特許請求の範囲の請求項１に記載された次の事項により特定されるとおりのものである。
　「縦、横、斜めいずれの方向にも自在に伸縮する伸縮生地で手袋本体をなす甲部側及び掌部側の大部分が形成されたゴルフ用手袋であって、手袋本体の掌部側の中指片、薬指片及び小指片に、伸縮生地よりも伸縮性は劣るが防滑性の良好な合成皮革、人工皮革、あるいは天然皮革製の防滑薄片を、それらの防滑薄片が手袋本体をなす伸縮生地の周縁部より内方位置となるように縫着すると共に、人指し指片については、防滑薄片を伸縮生地からなる人指し指片の掌部側から甲部側に跨るように且つ上端部と甲部側の側縁部に伸縮生地が露出するように縫着し、さらに掌部側の前述の各指片の下端縁及び親指片の周縁部との間に伸縮生地が露出するようにして手袋本体の掌部分にも前述の防滑薄片を縫着し、人指し指片、中指片、薬指片及び小指片の各先端部付近から手袋本体の手首側の下端部付近に至るまで伸縮生地が途絶えることなく連繋状態となっていることを特徴とするゴルフ用手袋。」
　
２．引用例
　これに対して、原査定の拒絶の理由に引用した本願の優先日前に頒布された「実願平３−９９９０号（実開平４−９９９７９号）のマイクロフィルム 」（以下「引用例１」という。）には，本願発明に関連する事項として、以下の事項が図示と共に記載されている。
　ア．「下記の（ａ）ないし（ｄ）の構成を有するゴルフ用の手袋。
　　　（ａ）　伸縮性生地でもって手袋状に作られた伸縮手袋下地(1)と、この伸縮手袋下地(1)の表面に縫着された握り皮革(2)とで構成されている。
　　　（ｂ）　握り皮革(2)は、伸縮手袋下地(1)の掌部の表面に縫着されている。
　　　（ｃ）　握り皮革(2)は、掌部(5)の全体、または掌部(5)の一部を覆う形状に裁断されている。
　　　（ｄ）　握り皮革(2)は、天然または合成皮革で作られている。」（【請求項１】）
　イ．「ゴルフ用の手袋は、ゴルフクラブのグリップを滑らないようにしっかりと握って手を保護するために使用される。」（【０００２】）
　ウ．「伸縮手袋下地１は、例えば、ツーウェイトリコット編み等の伸縮性生地を、掌部５と、甲部６と、マチ部４とに裁断して手袋状に縫着されたものが使用される。」（【００１４】）
　エ．「握り皮革２．．．は、天然または合成皮革を所定の形状に裁断したもので、伸縮手袋下地１の表面に縫着されている。握り皮革２は、伸縮手袋下地１の掌部に縫着されている。握り皮革２は、手袋の掌部を十分な強度に補強するために、皮革を、掌部の全体、ないしは、周縁部を除く掌部のほぼ全体を含む外形に裁断したものである。
　最も好ましい手袋は、握り皮革２の外形を、手袋の掌部よりも１〜６mm小さい外形とする。握り皮革２は、皮革を、指と手のひらの部分とを覆う形状に裁断されたものである。図１に示す手袋は、４本の指と、手のひらを１枚の皮革で裁断し、親指の掌部を別の皮革で裁断している。ただ、全ての指と手のひらとを１枚の皮革で構成するこも可能であるのは言うまでもない。」（【００１５】〜【００１６】）
　オ．「この考案のゴルフ用の手袋は、極めて弱い握力でクラブのグリップを確実にスリップしない状態で握ることができる特長を実現する。この特長は、伸縮手袋下地の表面に、握り皮革を縫着し、握り皮革を伸縮手袋下地を介してマチ部に連結し」（【００２２】）
　カ．図１〜図５から伸縮手袋用下地が、人差し指部分、中指部分、薬指部分及び小指部分の各先端部付近から手首側の下端部付近に至るまで途絶えることなく連繋状態となっていることが看取できる。
　
　上記記載ア〜カを含む上記引用例１には以下の発明が記載されているといえる。
「ツーウェイトリコット編み等の伸縮性生地を掌部５と、甲部６と、マチ部４とに裁断して手袋状に縫着された伸縮手袋下地１の掌部の表面に、手袋の掌部よりも１〜６mm小さい外形に裁断した天然または合成皮革からなる握り皮革２を、手袋状に縫着された伸縮手袋下地１の周縁部を除き指と手のひらの部分を覆う形状になるように縫着し、手袋の人差し指部分、中指部分、薬指部分及び小指部分の各先端部付近から手首側の下端部付近に至るまで伸縮生地が途絶えることなく連繋状態となっているゴルフ用の手袋。」（以下、「引用発明１」という。）
　
　同じく原査定の拒絶の理由に引用した本願の優先日前に頒布された「実願平４−７２１９１号（実開平６−２６９５１号）のＣＤ−ＲＯＭ 」（以下「引用例２」という。）には，本願発明に関連する事項として、以下の事項が図示と共に記載されている。
  あ．「 前記手袋において、手掌部にあて皮を縫着し、」（【請求項２】）
　い．「スポーツ用例えば、野球、ゴルフ、テニス等で使用する手袋の改良に関するものである。」（【０００１】）
　う．「親指の付け根周辺部に伸縮性部材を設けた手袋があるがすでに公知となっている。」（【０００２】）
　え．図１〜図３から、人指し指部のあて皮１１が、人指し指部の掌部側から甲部側に跨がって縫着されていることが看取できる。
　
３．対比・判断
　
　本願発明と上記引用発明１とを対比する。
　ア．引用発明１の「手袋状に縫着された伸縮手袋下地１」、「甲部６」、「掌部５」、「中指部分」、「薬指部分」、「小指部分」、「ゴルフ用の手袋」は、それぞれ、
　本願発明の「手袋本体」、「甲部側」、「掌部側」、「中指片」、「薬指片」、「小指片」、「ゴルフ用手袋」に相当している。
　イ．本願明細書の「発明を実施するための最良の形態」には「伸縮生地１０としては、ナイロンやポリエステルと一緒にポリウレタンを編み込んだツーウェイトリコットと呼ばれる布地．．．が挙げられる」と記載されており、縦、横、斜めいずれの方向にも自在に伸縮する伸縮生地には、ツーウェイトリコットと呼ばれる布地も含まれているから引用発明１の「ツーウェイトリコット編み等の伸縮性生地」は、本願発明の「縦、横、斜めいずれの方向にも自在に伸縮する伸縮生地」と異ならない。
  ウ．引用発明１において「握り皮革２」により、スリップしない状態でグリップを握ることができる（記載オ参照）と認められるから、引用発明１の「握り皮革２」を防滑薄片ということができ、又、握り皮革２は、天然または合成皮革からなるものであるから、伸縮生地よりも伸縮性は劣るが防滑性の良好なものであることは明らかである。
　エ．引用発明１の防滑薄片（握り皮革２）は、「手袋状に縫着された伸縮手袋下地１の周縁部を除き指と手のひらの部分を覆う形状になるように縫着」されるから、手袋本体をなす伸縮生地の周縁部より内方位置に縫着されるということができる。                
　
　以上のことから、両者の一致点と相違点は次のとおりである。
　
　［一致点］
　「縦、横、斜めいずれの方向にも自在に伸縮する伸縮生地で手袋本体をなす甲部側及び掌部側の大部分が形成されたゴルフ用手袋であって、手袋本体の掌部側の中指片、薬指片及び小指片に、伸縮生地よりも伸縮性は劣るが防滑性の良好な合成皮革あるいは天然皮革製の防滑薄片を、防滑薄片が手袋本体をなす伸縮生地の周縁部より内方位置となるように縫着すると共に、人指し指片、中指片、薬指片及び小指片の各先端部付近から手袋本体の手首側の下端部付近に至るまで伸縮生地が途絶えることなく連繋状態となっているゴルフ用手袋。」
  ［相違点］
　防滑薄片が、本願発明では、中指片、薬指片、小指片、人指し指片、掌部分に縫着されるものに分割されており、人指し指片に縫着されるものは、人指し指片の掌部側から甲部側に跨るように且つ上端部と甲部側の側縁部に伸縮生地が露出するように縫着され、掌部分に縫着されるものは、掌部側の各指片の下端縁及び親指片の周縁部との間に伸縮生地が露出するようにして縫着されているのに対して、引用発明１では、防滑薄片は一枚である点、
　
　［相違点の判断］
　上記相違点について判断する。
　引用発明１では、掌部を十分な強度に補強するために、防滑薄片を、掌部側の周辺部を除くほぼ全面に縫着している。しかしながら、伸縮生地に縫着する伸縮生地よりも伸縮性が劣る防滑薄片の面積が大きければ、伸縮生地の伸縮性が阻害されることは技術常識（実願平３−２３１９２号（実開平５−３０１１０号）のＣＤ−ＲＯＭの【０００３】「皮革を縫着する面積を大きくすると、手袋全体の伸縮性が少なくなる．．．皮革が伸縮しないからである。」の記載参照）であって、伸縮性の手袋においては、所望の箇所に別々の皮革を縫着することによって、伸縮性を阻害しないようにすることが周知（実願平１−８２６５７号（実開平３−２２０１５号）のマイクロフィルムの掌部側の各指片及び掌部に動物の皮が縫い付けられている第３図及び明細書第６頁１３〜１５行「動物の皮・人工皮革を手袋の掌側に縫い付けることにより、手の滑りを防止することができ」の記載、上記実願平３−２３１９２号（実開平５−３０１１０号）のＣＤ−ＲＯＭの図１及び【００１１】「図１は手袋の掌部を示している。掌部に縫いつけられる皮革２は、指の方向に延長して細幅の帯状に裁断されている。帯状の皮革２は、親指と、人差指と、中指と、薬指と、小指とに分割されている。」、【００１５】「手袋は、伸縮手袋下地の表面に皮革を縫いつけるにもかかわらず、皮革による伸縮率の低下を少なくできる。」の記載参照）である。
　一方、ゴルフ用手袋においても、防滑薄片によって伸縮性を阻害しないように、防滑薄片を複数に分割し、それらを、伸縮性が必要な箇所を避けて設けることが従来から周知である（実開昭５１−１５５９７５号公報【実用新案登録請求の範囲】「ゴルフ用手袋において、ゴルフ・クラブを握った時クラブに接する指および掌の部分であってしかも指の屈曲によって伸張しない部分に、表面に突起を有する摩擦片を貼りつけた」及び第１図、実願平４−２５５６９号（実開平５−８４３６３号）のＣＤ−ＲＯＭ【０００６】〜【０００８】「クラブのグリップ表面に対する摩擦力が維持されて、滑り止めの機能が充分に発揮されるゴルフ用手袋．．．手袋本体の各指先端部手掌面、親指を除く各指の付根部手掌面および小指付根より下方部分に、表面に小突起が点在する滑り止め片を固着してなる構成を採用したのである。．．．滑り止め片がArchordus Javanicus の皮革であってよい。」の記載及び図１参照。）から、引用発明１の伸縮性のゴルフ用手袋において、防滑薄片によって伸縮性が阻害されないように、伸縮性の手袋における上記従来周知の技術を採用し、防滑薄片を複数に分け、それらを、伸縮性が必要な箇所を避けて縫着し、伸縮生地を露出させようとすることは、当業者が容易に想起する程度のことである。
　そして、防滑薄片を人指し指片に縫着するに際しては、グリップの握り方からゴルフ用手袋の人指し指片には、掌部側から甲部側に跨る箇所を滑らないようにすることが望まれるから、防滑薄片が掌部側から甲部側に跨るようにし、且つ、上端部と甲部側の側縁部に伸縮生地が露出するようにし、伸縮性を阻害しないようにすることは、単なる設計事項にすぎない（引用例２の上記記載え、昭和１０年実用新案出願公告第８３４１号公報の第１図、第２図の符号６’が付された部分参照）。
　又、ゴルフ用手袋の掌部側の各指片の下端縁及び親指片の周縁部は、伸縮する必要があることは通常のゴルフクラブのグリップの寸法及びその握り方からみて当然であるから、防滑薄片を掌部分に縫着するに際しては、上記箇所に伸縮生地が露出するように、上記箇所を避けて縫着することは、単なる設計事項にすぎない（必要ならば、実願昭５１−６０４８０号（実開昭５２−１５０４２４号）のマイクロフィルム【実用新案登録請求の範囲】「上縁が人差指から小指までの各指の付根を結んだ線に沿って延びており、親指側の側縁が親指の折曲げ線に沿って斜上下方向へと延びており．．．当て片を、手袋の掌面に当て、その周縁部を掌面に縫着けてある．．．スポーツ用手袋。」参照。）
　以上のとおり、引用発明１のゴルフ用手袋において、相違点に係る構成を具備することは、当業者が容易になし得たものと認められ、その作用効果も格別顕著でない。
　
　したがって、本願発明は、引用発明１及び周知技術から当業者が容易に発明をすることができたものであるから、特許法第２９条第２項の規定により特許を受けることができない。
　
４．むすび 
　
　本願発明が特許を受けることができない以上、本願のその余の請求項に係る発明について検討するまでもなく、本願は拒絶を免れない。
　よって結論のとおり審決する。